(57)【要約】      （修正有）【課題】多次元コードを用いて広告を提供するにあたり、広告自体を広めることが可能な広告装置の提供。【解決手段】商品を広告ウェブページに表示するための商品情報および広告ウェブページのＵＲＩに関連付けられる識別情報を記憶する商品情報記憶手段と、商品の広告ウェブページのＵＲＩによりアクセスしたユーザ端末に対し、商品情報記憶手段に記憶された商品情報および識別情報に基づき、商品の広告ウェブページを提供する広告ページ提供手段と、商品の広告ウェブページのＵＲＩを情報として含む多次元コード２を発行する多次元コード発行手段と、多次元コード２に含まれるＵＲＩによりアクセスしたユーザ端末に対し、広告ページ提供手段により提供する商品の広告ウェブページに誘導するためのタグであり、ウェブサイト上に貼り付けるためのタグを発行するタグ発行手段とを含む。【選択図】図１
2011238071.tif 000002
【特許請求の範囲】
【請求項１】
商品を広告ウェブページに表示するための商品情報および前記広告ウェブページのＵＲＩに関連付けられる識別情報を記憶する商品情報記憶手段と、
前記商品の広告ウェブページのＵＲＩによりアクセスしたユーザ端末に対し、前記商品情報記憶手段に記憶された商品情報および識別情報に基づき、前記商品の広告ウェブページを提供する広告ページ提供手段と、
前記商品の広告ウェブページのＵＲＩを情報として含む多次元コードを発行する多次元コード発行手段と、
前記多次元コードに含まれるＵＲＩによりアクセスしたユーザ端末に対し、前記広告ページ提供手段により提供する前記商品の広告ウェブページに誘導するためのタグであってウェブサイト上に貼り付けるためのタグを発行するタグ発行手段と
を含む広告装置。
【請求項２】
前記広告ウェブページのＵＲＩは、１商品ごとに設定されたものである請求項１記載の広告装置。
【請求項３】
ユーザを識別するためのユーザ識別情報を記憶するユーザ情報記憶手段と、
前記商品の広告ウェブページへのアクセス数を記憶するログ情報記憶手段とを含み、
前記タグ発行手段は、前記タグに前記ユーザ識別情報を含めて発行するものであり、
さらに、前記タグにより前記商品の広告ウェブページにアクセスされた際に前記タグに含まれるユーザ識別情報に基づいてアクセス数をカウントし、前記ログ情報記憶手段に記録するアクセス記録手段と、
前記ログ情報記憶手段に記録されたアクセス数に応じたクーポンを前記ユーザ識別情報により識別されるユーザに発行するクーポン発行手段と
を含む請求項１または２に記載の広告装置。
【請求項４】
前記タグ発行手段により発行されるタグは、前記ウェブサイトに、前記商品の商品情報を表示するとともに前記広告ウェブページのＵＲＩへのリンクを張るものである請求項１から３のいずれかに記載の広告装置。
【請求項５】
商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、前記商品の広告ウェブページを提供すること、
前記商品の広告ウェブページのＵＲＩを情報として含む多次元コードを発行すること、
前記多次元コードに含まれるＵＲＩによりアクセスしたユーザ端末に対し、前記商品について提供する広告ウェブページに誘導するためのタグであり、ウェブサイト上に貼り付けるためのタグを発行すること
を含む広告方法。
【請求項６】
商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、前記商品の広告ウェブページを提供すること、
前記商品の広告ウェブページのＵＲＩおよびユーザ情報記憶手段に記憶するユーザを識別するためのユーザ識別情報を情報として含む多次元コードを発行すること、
前記多次元コードに含まれるＵＲＩによりアクセスしたユーザ端末に対し、前記商品について提供する広告ウェブページに誘導するためのタグであり、ウェブサイト上に貼り付けるためのタグを発行すること、
前記タグにより前記商品の広告ウェブページにアクセスされた際に前記タグに含まれるユーザ識別情報に基づいてアクセス数をカウントし、前記商品の広告ウェブページのアクセス数を記憶するログ情報記憶手段に記録すること、
前記ログ情報記憶手段に記録されたアクセス数に応じたクーポンを前記ユーザ識別情報により識別されるユーザに発行すること
を含む広告方法。
【発明の詳細な説明】
【技術分野】
【０００１】
本発明は、多次元コードを利用した広告装置および広告方法に関する。
【背景技術】
【０００２】
ＱＲコード（登録商標）を利用した広告システムとして、例えば特許文献１，２に記載のものが知られている。特許文献１には、商品受注サブシステムにアクセスするためのＵＲＬ情報と、広告掲載者に対応する識別タグ情報とが含まれる識別コード画像（ＱＲコード）を発行して広告印刷物に掲載し、消費者側情報端末によりこの識別コード画像が読み取られ、それに基づいて管理サーバにアクセスされ、商品の注文が行われると、識別コード画像情報のうちの識別タグ情報に基づいて広告掲載者の広告料を算出するシステムが記載されている。
【０００３】
また、特許文献２には、広告ＩＤおよび広告媒体主ＩＤを特定可能なＱＲコードを広告とともに紙媒体に印刷しておき、顧客がこの掲載された広告のＱＲコードを顧客端末で読み取り、ＱＲコードにより特定された広告ＩＤおよび広告媒体主ＩＤとともに、顧客の操作に応じて顧客の自宅の住所等の顧客所在情報を広告代理サーバに送信すると、この送信された広告ＩＤおよび顧客所在情報に基づいて、顧客が広告を利用できるか否かを判断することで、広告を利用可能な地域を限定するシステムが記載されている。
【先行技術文献】
【特許文献】
【０００４】
【特許文献１】特開２００９−１２３０７３号公報
【特許文献２】特開２００８−９０４９９号公報
【発明の概要】
【発明が解決しようとする課題】
【０００５】
以上のように、従来のＱＲコードを利用した広告システムは、ＱＲコードに含ませた識別タグ情報や広告ＩＤ等に基づいて広告料の算出やアクセス制限等を行っているものの、ＱＲコードに含ませた識別タグ情報や広告ＩＤ等に基づいて単に広告を提供するだけに止まっており、広告自体を広めるというような効果は期待できない。
【０００６】
そこで、本発明においては、ＱＲコード等の多次元コードを用いて広告を提供するにあたり、広告自体を広めることが可能な広告装置および広告方法を提供することを目的とする。
【課題を解決するための手段】
【０００７】
本発明の広告装置は、商品を広告ウェブページに表示するための商品情報および広告ウェブページのＵＲＩに関連付けられる識別情報を記憶する商品情報記憶手段と、商品の広告ウェブページのＵＲＩによりアクセスしたユーザ端末に対し、商品情報記憶手段に記憶された商品情報および識別情報に基づき、商品の広告ウェブページを提供する広告ページ提供手段と、商品の広告ウェブページのＵＲＩを情報として含む多次元コードを発行する多次元コード発行手段と、多次元コードに含まれるＵＲＩによりアクセスしたユーザ端末に対し、広告ページ提供手段により提供する商品の広告ウェブページに誘導するためのタグであり、ウェブサイト上に貼り付けるためのタグを発行するタグ発行手段とを含むものである。
【０００８】
本発明の広告装置により発行された多次元コードは紙媒体や電子媒体等に表示して使用される。この多次元コードには、商品の広告ウェブページのＵＲＩが情報として含まれており、ユーザは、これらの紙媒体や電子媒体等に表示された多次元コードをユーザ端末により読み取ることで、この多次元コードに含まれるＵＲＩにアクセスすることができる。そして、広告装置は、このＵＲＩによりアクセスしたユーザ端末に対し、商品情報記憶手段に記憶された商品情報および識別情報に基づき、商品の広告ウェブページを提供する。ここで、ユーザが自身のウェブログなどのウェブサイト上へのこの商品の広告ウェブページの表示を希望する場合、広告装置は、この多次元コードに含まれるＵＲＩによりアクセスしたユーザ端末に対し、広告ページ提供手段により提供する商品の広告ウェブページに誘導するためのタグであってウェブサイト上に貼り付けるためのタグを発行する。そして、ユーザがこの広告装置により発行されたタグをユーザ自身のウェブログなどのウェブサイト上に貼り付けることで、このユーザ自身のウェブサイトにアクセスするユーザがこの商品の広告ウェブページに誘導することができる。
【０００９】
ここで、広告ウェブページのＵＲＩは、１商品ごとに設定されたものであることが望ましい。これにより、本発明の広告装置により発行された多次元コードには、１商品の広告ウェブページのＵＲＩが情報として含まれている。そして、広告装置は、このＵＲＩによりアクセスしたユーザ端末に対し、商品情報記憶手段に記憶された商品情報および識別情報に基づき、１商品ごとの広告ウェブページを提供する。ここで、ユーザが自身のウェブログなどのウェブサイト上へのこの１商品の広告ウェブページの表示を希望する場合、広告装置は、この多次元コードに含まれるＵＲＩによりアクセスしたユーザ端末に対し、広告ページ提供手段により提供する１商品の広告ウェブページに誘導するためのタグであってウェブサイト上に貼り付けるためのタグを発行する。そして、ユーザがこの広告装置により発行されたタグをユーザ自身のウェブログなどのウェブサイト上に貼り付けることで、このユーザ自身のウェブサイトにアクセスするユーザをこの１商品ごとの広告ウェブページに誘導することができる。
【００１０】
また、本発明の広告装置は、ユーザを識別するためのユーザ識別情報を記憶するユーザ情報記憶手段と、商品の広告ウェブページへのアクセス数を記憶するログ情報記憶手段とを含み、タグ発行手段が、タグにユーザ識別情報を含めて発行するものであり、さらに、タグにより商品の広告ウェブページにアクセスされた際にタグに含まれるユーザ識別情報に基づいてアクセス数をカウントし、ログ情報記憶手段に記録するアクセス記録手段と、ログ情報記憶手段に記録されたアクセス数に応じたクーポンをユーザ識別情報により識別されるユーザに発行するクーポン発行手段とを含む構成とすることができる。
【００１１】
この広告装置によれば、タグ発行手段が、ユーザ識別情報を含めてタグを発行することで、このタグを自身のウェブログなどのウェブサイト上に貼り付けると、このユーザ自身のウェブサイト上に貼り付けられたタグ経由で商品の広告ウェブページにアクセスされた際に、このタグに含まれるユーザ識別情報に基づいてアクセス数がカウントされ、このアクセス数に応じたクーポンがユーザ識別情報により識別されるユーザに発行される。
【００１２】
また、タグ発行手段により発行されるタグは、ウェブサイトに、商品の商品情報を表示するとともに広告ウェブページのＵＲＩへのリンクを張るものであることが望ましい。これにより、本発明の広告装置により発行されたタグをユーザ自身のウェブログなどのウェブサイト上に貼り付けることで、このユーザ自身のウェブサイトにアクセスするユーザに対して商品の商品情報を提供するとともに、ＵＲＩへのリンクにより、この商品の広告ウェブページに誘導することができる。
【００１３】
本発明の広告方法は、商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、商品の広告ウェブページを提供すること、商品の広告ウェブページのＵＲＩを情報として含む多次元コードを発行すること、多次元コードに含まれるＵＲＩによりアクセスしたユーザ端末に対し、商品について提供する広告ウェブページに誘導するためのタグであり、ウェブサイト上に貼り付けるためのタグを発行することを含むことを特徴とする。
【００１４】
本発明の広告方法によれば、発行され、紙媒体や電子媒体等に表示された多次元コードをユーザ端末により読み取ることで、この多次元コードに含まれるＵＲＩにアクセスすることができ、このＵＲＩによりアクセスしたユーザ端末に対し、商品情報記憶手段に記憶された商品情報および識別情報に基づき、商品の広告ウェブページが提供される。ここで、ユーザが自身のウェブログなどのウェブサイト上へのこの商品の広告ウェブページの表示を希望する場合、この多次元コードに含まれるＵＲＩによりアクセスしたユーザ端末に対し、提供する商品の広告ウェブページに誘導するためのタグであってウェブサイト上に貼り付けるためのタグが発行される。そして、ユーザがこの発行されたタグをユーザ自身のウェブログなどのウェブサイト上に貼り付けることで、このユーザ自身のウェブサイトにアクセスするユーザをこの商品の広告ウェブページに誘導することができる。
【００１５】
また、本発明の広告方法は、商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、商品の広告ウェブページを提供すること、商品の広告ウェブページのＵＲＩおよびユーザ情報記憶手段に記憶するユーザを識別するためのユーザ識別情報を情報として含む多次元コードを発行すること、多次元コードに含まれるＵＲＩによりアクセスしたユーザ端末に対し、商品について提供する広告ウェブページに誘導するためのタグであり、ウェブサイト上に貼り付けるためのタグを発行すること、タグにより商品の広告ウェブページにアクセスされた際にタグに含まれるユーザ識別情報に基づいてアクセス数をカウントし、商品の広告ウェブページのアクセス数を記憶するログ情報記憶手段に記録すること、ログ情報記憶手段に記録されたアクセス数に応じたクーポンをユーザ識別情報により識別されるユーザに発行することを含むことを特徴とする。
【００１６】
これにより、発行されたタグを自身のウェブログなどのウェブサイト上に貼り付けると、このユーザ自身のウェブサイト上に貼り付けられたタグ経由で商品の広告ウェブページにアクセスされた際に、このタグに含まれるユーザ識別情報に基づいてアクセス数がカウントされ、このアクセス数に応じたクーポンがユーザ識別情報により識別されるユーザに発行される。
【発明の効果】
【００１７】
（１）商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、商品の広告ウェブページを提供し、商品の広告ウェブページのＵＲＩを情報として含む多次元コードを発行し、多次元コードに含まれるＵＲＩによりアクセスしたユーザ端末に対し、商品について提供する広告ウェブページに誘導するためのタグであり、ウェブサイト上に貼り付けるためのタグを発行する構成により、ユーザがユーザ端末により多次元コードに含まれるＵＲＩにアクセスすると、商品の広告ウェブページが提供されるとともに、この商品の広告ウェブページに誘導するためのタグであってウェブサイト上に貼り付けるためのタグが発行され、ユーザがこの発行されたタグをユーザ自身のウェブログなどのウェブサイト上に貼り付けることで、このユーザ自身のウェブサイトにアクセスするユーザをこの商品の広告ウェブページに誘導することができる。このように本発明によれば、多次元コードを用いて広告を提供するにあたり、この広告のウェブページに誘導するタグが発行され、この広告にアクセスするユーザ自身のウェブログなどのウェブサイトにより、この広告自体が広められるので、さらなる広告効果を期待できる。
【００１８】
（２）商品の広告ウェブページのＵＲＩによりアクセスしたユーザに対し、商品情報記憶手段に記憶された商品を広告ウェブページに表示するための商品情報および広告ウェブページのＵＲＩに関連付けられる識別情報に基づき、商品の広告ウェブページを提供し、商品の広告ウェブページのＵＲＩおよびユーザ情報記憶手段に記憶するユーザを識別するためのユーザ識別情報を情報として含む多次元コードを発行し、多次元コードに含まれるＵＲＩによりアクセスしたユーザ端末に対し、商品について提供する広告ウェブページに誘導するためのタグであり、ウェブサイト上に貼り付けるためのタグを発行し、タグにより商品の広告ウェブページにアクセスされた際にタグに含まれるユーザ識別情報に基づいてアクセス数をカウントし、商品の広告ウェブページのアクセス数を記憶するログ情報記憶手段に記録し、ログ情報記憶手段に記録されたアクセス数に応じたクーポンをユーザ識別情報により識別されるユーザに発行する構成により、ユーザがユーザ自身のウェブログなどのウェブサイトに貼り付けたタグ経由で商品の広告ウェブページにアクセスされると、そのアクセス数に応じたクーポンがユーザ識別情報により識別されるユーザに発行されるので、ユーザによるタグ発行意欲が刺激され、さらに広告が広められるので、さらに多くの広告効果を期待できる。
【図面の簡単な説明】
【００１９】
【図１】本発明の実施の形態における広告システムの概略構成図である。
【図２】図１の広告装置のブロック図である。
【図３】商品データベースの例を示す図である。
【図４】店舗データベースの例を示す図である。
【図５】ユーザ端末に提供される広告ウェブページの例を示す図である。
【図６】図１の広告システムの処理フローを示す説明図である。
【図７】図１の広告装置の別の実施形態を示すブロック図である。
【図８】ユーザデータベースの例を示す図である。
【図９】ユーザ登録からタグ埋め込みまでの処理フローを示す説明図である。
【発明を実施するための形態】
【００２０】
図１は本発明の実施の形態における広告システムの概略構成図である。
図１において、本発明の実施の形態における広告システムは、広告ウェブページの提供等を行う広告装置１と、広告装置１により発行され、紙媒体や電子媒体等の情報表示媒体（図示せず。）に表示される多次元コード２と、広告装置１にアクセスするユーザ端末としての携帯電話機３やコンピュータ４等により構成される。なお、情報表示媒体とは、ちらし、パンフレットや雑誌等の紙媒体としての印刷物や、携帯電話機、携帯情報端末やコンピュータ等の電子媒体としてのディスプレイ等の他、包装やケース等の多次元コード２を付与可能なものをいう。
【００２１】
図２は図１の広告装置１のブロック図である。
図２に示すように、広告装置１は、各商品の商品情報等を記憶する商品情報記憶手段１０と、商品の広告ウェブページを提供する広告ページ提供手段１１と、商品の広告ウェブページのＵＲＩ（Ｕｎｉｆｏｒｍ  Ｒｅｓｏｕｒｃｅ  Ｉｄｅｎｔｉｆｉｅｒ：統一資源識別子）としてのＵＲＬ（Ｕｎｉｆｏｒｍ  Ｒｅｓｏｕｒｃｅ  Ｌｏｃａｔｏｒ：統一資源位置指定子）を情報として含む多次元コードを発行する多次元コード発行手段１２と、商品の広告ウェブページに誘導するためのタグを発行するタグ発行手段１３とを有する。
【００２２】
商品情報記憶手段１０には、各商品に関する情報（以下、「商品情報」と称す。）を管理する商品データベース（商品ＤＢ）や、各商品を取り扱う店舗に関する情報（以下、「店舗情報」）を管理する店舗データベース（店舗ＤＢ）等が構築されている。図３は商品ＤＢの例を、図４は店舗ＤＢの例をそれぞれ示している。
【００２３】
商品情報は、図３に示すように、各商品を広告ウェブページに表示するための商品名、価格、説明文や写真等の情報である。また、各商品の商品情報には、各商品を表示する広告ウェブページのＵＲＬに関連付けられる識別情報が紐付けされている。なお、商品とは、一般に商品と称される各店舗が取り扱う物のみならず、ユーザのために行うサービス（労務または便益）を含むものとする。また、広告ウェブページに表示する商品としては、書籍内の記事などの著作者が許可する文字情報や、アミューズメントパークや商業施設などの場所も含まれる。店舗情報は、図４に示すように、各商品を取り扱う店舗を広告ウェブページに表示するための店舗名、郵便番号、住所、電話番号、営業時間や定休日等の情報である。
【００２４】
広告ページ提供手段１１は、各商品の広告ウェブページのＵＲＬによりアクセスしたユーザ端末に対し、商品情報記憶手段１０に記憶された商品情報および識別情報に基づき、該当する商品の広告ウェブページを提供する。この広告ウェブページには、店舗情報を含めることも可能である。図５は広告ページ提供手段１１によりユーザ端末に提供される広告ウェブページの例を示している。図５に示すように、この広告ウェブページ２０には、商品情報記憶手段１０の商品ＤＢおよび店舗ＤＢから各商品の情報が抽出され、表示される。
【００２５】
なお、本実施形態においては、広告ウェブページには１商品ごとに商品情報が表示され、各広告ウェブページのＵＲＬは、それぞれの１商品ごとに設定されたものである。つまり、広告ページ提供手段１１は、各商品の広告ウェブページのＵＲＬによりアクセスされた際に、このＵＲＬから識別情報を特定することができ、該当する商品の広告ウェブページをユーザ端末に提供することができる。
【００２６】
多次元コード発行手段１２は、各商品の広告ウェブページのＵＲＬを情報として含むものである。多次元コード発行手段１２により発行された多次元コード２は、前述のような情報表示媒体に付されて配布される。なお、図１に示す多次元コード２は、マトリックス方式の２次元コードの例であるＱＲコード（登録商標）であるが、多次元コード２として３次元コード等を使用することも可能である。携帯電話機３は、この多次元コード２を読み取る機能を有し、多次元コード２を読み取ることで各商品の広告ウェブページのＵＲＬを取得し、アクセスすることが可能である。なお、本実施形態においては携帯電話機３を例にとって説明しているが、これに代えて多次元コード２を読み取る機能を有する携帯情報端末その他の情報端末を使用することも可能である。
【００２７】
タグ発行手段１３は、多次元コード２に含まれるＵＲＬによりアクセスしたユーザ端末に対して、ユーザ自身のウェブログなどのウェブサイト上に貼り付けるタグを発行するものである。発行するタグは、広告ページ提供手段１１により提供する各商品の広告ウェブページに誘導するためのものである。このタグは、例えば、商品の商品情報を表示するとともに広告ウェブページのＵＲＬへのリンクを張るものである。
【００２８】
次に、上記構成の広告システムにおける処理について説明する。図６は図１の広告システムの処理フローを示す説明図である。
【００２９】
まず、広告装置１の管理者は、各店舗（クライアント）から商品情報（商品データ）を取得し、それぞれの店舗の商品情報として商品情報記憶手段１０に格納する（ステップＳ１）。そして、広告装置１の多次元コード発行手段１２は、各店舗の各商品の広告ウェブページ２０のＵＲＬを情報として含む多次元コード２を発行する。発行された多次元コード２は、前述の情報表示媒体上に表示して配布される。
【００３０】
ユーザは、携帯電話機３によってこの情報表示媒体上に表示された多次元コード２を読み取り（ステップＳ２）、この多次元コード２に含まれるＵＲＬ２ａを携帯電話機３に取得する（ステップＳ３）。このＵＲＬ２ａは電子メール等により他のユーザ端末である携帯電話機やコンピュータに送信して共有することも可能となっている。
【００３１】
そして、ユーザが携帯電話機３等のユーザ端末によりこのＵＲＬ２ａにアクセスすると、広告装置１の広告ページ提供手段１１は、このＵＲＬ２ａによりアクセスした携帯電話機３等に対し、当該ＵＲＬ２ａにより特定される商品の広告ウェブページ２１を提供する（ステップＳ４）。この商品の広告ウェブページ２１には、この商品の広告ウェブページ２１に誘導するためのタグを発行するためのタグ発行ボタン２２が設けられている。
【００３２】
ユーザが携帯電話機３を操作してこのタグ発行ボタン２２をクリックすると、広告装置１のタグ発行手段１２は、この商品の広告ウェブページ２１に誘導するためのタグであってウェブサイト上に貼り付けるためのタグ２３を発行する（ステップＳ５）。この発行されたタグ２３は、ユーザ自身のウェブログなどのウェブサイト２４上に貼り付けて使用することができる（ステップＳ６）。また、このタグ２３は電子メール等により他のユーザ端末である携帯電話機やコンピュータに送信することも可能となっている。
【００３３】
上記のように、本実施形態における広告システムによれば、ユーザが携帯電話機３により多次元コード２に含まれるＵＲＬ２ａにアクセスすると、商品の広告ウェブページ２１が提供されるとともに、この商品の広告ウェブページ２１に誘導するためのタグ２３であってウェブサイト２４上に貼り付けるためのタグ２３が発行され、ユーザがこの発行されたタグ２３をユーザ自身のウェブログなどのウェブサイト２４上に貼り付けることができる。
【００３４】
このタグ２３は、ユーザ自身のウェブサイト２４上に商品の商品情報を表示するとともに広告ウェブページ２１のＵＲＬへのリンクを張るものであり、このユーザ自身のウェブサイト２４に携帯電話機やコンピュータ等のユーザ端末によりアクセスするユーザを、この商品の広告ウェブページ２１に誘導することができる。このように本実施形態における広告システムによれば、多次元コード２を用いて広告を提供するにあたり、この広告ウェブページ２１に誘導するタグ２３が発行され、この広告にアクセスするユーザ自身のウェブログなどのウェブサイト２４により、この広告自体が広められるので、さらなる広告効果を期待できる。
【００３５】
なお、本実施形態では、タグ発行ボタン２２のクリックによりタグ発行手段１２がタグ２３を発行する構成としているが、タグ発行ボタン２２を省略してタグ発行手段１２が発行したタグ２３を広告ウェブページ２１自体に表示する構成とすることも可能である。
【００３６】
次に広告装置１の別の実施形態について説明する。図７は図１の広告装置１の別の実施形態を示すブロック図である。なお、図７において図１と共通の構成部分については、図１と同じ符番を付し、その詳細な説明を省略する。
【００３７】
図７において、ユーザ情報記憶手段１４は、各ユーザを識別するためのユーザ識別情報等を記憶するものである。ユーザ情報記憶手段１４には、ユーザＩＤ、ユーザ名、各ユーザの携帯電話機３の端末番号、各ユーザ専用のＵＲＬ等の各ユーザを識別するためのユーザ識別情報を管理するユーザデータベース（ユーザＤＢ）等が構築されている。図８はユーザＤＢの例を示している。ログ情報記憶手段１５は、各商品の広告ウェブページへのアクセス数等のログ情報を記憶するものである。ログ情報記憶手段１５には、各商品の広告ウェブページへのアクセス数、ページビュー数、ユーザエージェント等のログ情報を管理するログデータベース（ログＤＢ）等が構築されている。
【００３８】
なお、タグ発行手段１３は、前述のように多次元コード２に含まれるＵＲＬによりアクセスしたユーザ端末に対して、ユーザ自身のウェブログなどのウェブサイト上に貼り付けるタグを発行するものであるが、この実施形態においては、タグに上記ユーザ識別情報のいずれか１つまたは複数を含めて発行するものである。これにより、この発行されたタグが貼り付けられたウェブサイトからのアクセスの際に、どのユーザに対して発行されたタグからのアクセスであるか識別することが可能となっている。
【００３９】
また、アクセス記録手段１７は、各タグにより各商品の広告ウェブページにアクセスされた際に、各タグに含まれるユーザ識別情報に基づいてアクセス数等をカウントし、ログ情報記憶手段１５に記録するものである。このとき、ログ情報記憶手段１５に記録されるアクセス数等はユーザ識別情報に関連付けて記録される。クーポン発行手段１８は、ログ情報記憶手段１５に記録された各商品の広告ウェブページへのアクセス数等に応じたクーポンをユーザ識別情報により識別されるユーザに発行するものである。
【００４０】
次に、上記構成の広告システムにおける処理について説明する。図９はユーザ登録からタグ埋め込みまでの処理フローを示す説明図である。
【００４１】
ユーザは、携帯電話機３によって多次元コード２を読み取り（ステップＳ１０）、この多次元コード２に含まれるＵＲＬ２ａを携帯電話機３に取得する（ステップＳ１１）。そして、ユーザが携帯電話機３によりＵＲＬ２ａにアクセスすると、広告装置１の広告ページ提供手段１１は、このＵＲＬ２ａによりアクセスした携帯電話機３に対し、当該ＵＲＬ２ａにより特定される商品の広告ウェブページ２１を提供する（ステップＳ１２）。なお、このＵＲＬ２ａは会員および非会員に共通のものである。
【００４２】
商品の広告ウェブページ２１には、会員登録のための会員登録ボタン２５が設けられており、ユーザが携帯電話機３を操作してこの会員登録ボタン２５をクリックすると、広告装置１のユーザ登録手段１６は、携帯電話機３に会員規約表示と空メール送信のためのウェブページ２６を提供する（ステップＳ１３）。このウェブページ２６には、空メール送信ボタン２７が設けられており、ユーザは携帯電話機３を操作してこの空メール送信ボタン２７をクリックして空メールを送信する。
【００４３】
この空メールには、送信元のユーザの携帯電話機３の電子メールアドレスおよび広告ウェブページ２１から引き回されたＵＲＬが含まれており、ユーザ登録手段１６は、これらをキー情報として含む会員登録画面へのリンク２９を埋め込んだ電子メール２８をユーザの携帯電話機３の電子メールアドレス宛てに送信する（ステップＳ１４）。ユーザが携帯電話機３を操作してこのリンク２９を開くと、ユーザ登録手段１６は会員登録のウェブページ３０を携帯電話機３へ提供する（ステップＳ１５）。
【００４４】
ユーザが携帯電話機３を操作して、この会員登録画面に必要事項を入力し、登録ボタン３１をクリックすると、携帯電話機３から入力された情報とともに携帯電話機３の端末番号が送信され、前述のキー情報と関連付けてユーザ登録手段１６によりユーザ情報記憶手段１４に登録される。なお、ユーザＩＤは各ユーザを識別するために自動的に割り当てられる。そして、登録が完了すると、ユーザ登録手段１６は登録完了のウェブページ３２を携帯電話機３に提供する（ステップＳ１６）。
【００４５】
また、この会員完了のウェブページ３２には、商品情報を見るためのリンク３３が埋め込まれており、ユーザが携帯電話機３を操作してこのリンク３３を開くと、ユーザログイン処理が行われ、前述の引き回されたＵＲＬに基づいて当該商品の広告ウェブページ３４が提供される（ステップＳ１７）。この広告ウェブページ３４のＵＲＬは会員専用のＵＲＬとなっており、ユーザが携帯電話機３を操作してタグ発行ボタン３５をクリックすると、タグ発行手段１３はユーザ識別情報を含む会員専用のタグ３６を発行する。
【００４６】
この発行されたタグ３６は、ユーザ自身のウェブログなどのウェブサイト３７上に貼り付けて使用することができる（ステップＳ１９）。このタグ３６には、会員のユーザ識別情報が含まれており、ウェブサイト３７にアクセスするユーザがこのタグ３６によって商品の広告ウェブページ２１に誘導されると、広告装置１のアクセス記録手段１７は、このタグ３６に含まれるユーザ識別情報に基づいてアクセス数をカウントし、ログ情報記憶手段１５に記録する。なお、アクセス記録手段１７は、図９に示すようにページビュー（ＰＶ）やユーザエージェント（ＵｓｅｒＡｇｅｎｔ）等についてもログ情報記憶手段１５に適宜記憶する。
【００４７】
そして、クーポン発行手段１８は、ログ情報記憶手段１５に記録されたアクセス数に応じたクーポンをユーザ識別情報により識別されるユーザに発行する。図９の例では、このユーザに発行されるクーポンは、このユーザに発行されたタグ３６に埋め込まれており、このユーザ自身のウェブサイト３７上に表示されるようになっている。このウェブサイト３７上に表示されたクーポンを、当該商品を取り扱っている店舗にて提示することで、ユーザ自身およびこのユーザ自身のウェブサイト３７を閲覧した他のユーザが割り引き等を受けることができる。
【００４８】
また、このクーポンは、一定のアクセス数を超えるにしたがって登録会員のランクを上位に変更するようにし、ランクに応じて割引率を変える構成とすることも可能である。これにより、ユーザはユーザ自身のウェブサイト３７に貼り付けたタグ３６によるアクセス数が増えるように行動するようになり、タグ発行意欲が刺激されるのでさらに広告が広められ、さらに多くの広告効果を期待できる。なお、クーポンは、登録会員専用のクーポン発行画面により当該登録会員ユーザにのみ発行する構成とすることも可能である。
【００４９】
なお、上記説明においては、１商品ごとに１つの広告ウェブページとして、広告ウェブページのＵＲＬは１商品ごとに設定されたものとしたが、１つの広告ウェブページに複数の商品を表示し、複数の商品を１つのＵＲＬに設定する構成とすることも可能である。
【産業上の利用可能性】
【００５０】
本発明は、ＱＲコード等の多次元コードを利用して飲食店、旅館やホテル等の広告を提供するための広告装置および広告方法として有用である。
【符号の説明】
【００５１】
１  広告装置
２  多次元コード
３  携帯電話機
４  コンピュータ
１０  商品情報記憶手段
１１  広告ページ提供手段
１２  多次元コード発行手段
１３  タグ発行手段
１４  ユーザ情報記憶手段
１５  ログ情報記憶手段
１６  ユーザ登録手段
１７  アクセス記録手段
１８  クーポン発行手段
【図１】
2011238071.tif 000003
【図２】
2011238071.tif 000004
【図３】
2011238071.tif 000005
【図４】
2011238071.tif 000006
【図５】
2011238071.tif 000007
【図６】
2011238071.tif 000008
【図７】
2011238071.tif 000009
【図８】
2011238071.tif 000010
【図９】
2011238071.tif 000011